(57)【要約】【課題】ユーザの趣向等の情報を判断してユーザが求める広告情報を提供するサーバ装置を提供する。【解決手段】サーバ装置２０において、商品情報データベース２３は、商品の分類情報を商品ごとに記憶する。広告情報データベース２５は、所定の条件に該当する際に送信する広告情報を記憶する。ユーザ購入履歴情報データベース２４は、携帯情報端末１０のユーザが過去に購入した商品の分類情報をユーザのユーザ識別情報に対応付けて記憶する。サーバ装置２０は、ユーザ購入履歴情報データベース２４から所定のユーザ識別情報に対応する分類情報を読み出し、分類情報が所定の条件に該当するか否かを確認する。所定の条件に該当すると確認された時に、広告情報データベース２５から所定の条件に該当する際に送信する広告情報を読み出して携帯情報端末１０に送信する。【選択図】    図１
2006004395.tif 000002
【特許請求の範囲】
【請求項１】
ユーザの携帯情報端末に対して広告情報を送信するサーバ装置において、
所定の条件に該当する際に送信する広告情報を記憶する広告情報記憶手段と、
前記ユーザに付与されたユーザ識別情報に対応させて、当該ユーザが購入した商品の分類情報を記憶するユーザ購入履歴情報記憶手段と、
前記ユーザ購入履歴情報記憶手段から所定のユーザ識別情報に対応する前記分類情報を読み出し、当該分類情報が所定の条件に該当するか否かを確認する確認手段と、
前記確認手段によって該当すると確認された場合に、前記広告情報記憶手段から前記所定の条件に該当する際に送信する前記広告情報を読み出す読出手段と、
前記読み出した広告情報を前記所定のユーザ識別情報に対応する前記ユーザの前記携帯情報端末に対して送信する送信手段と、
を備えたことを特徴とするサーバ装置。
【請求項２】
前記確認手段は、前記所定のユーザ識別情報に対応する前記ユーザに既に前記広告情報を送信しているか否かを確認し、送信している場合には前記広告情報を送信せず、送信していない場合は前記所定の条件に該当するか否かを確認することを特徴とする請求項１に記載のサーバ装置。
【請求項３】
前記確認手段によって前記所定の条件に該当すると確認された時の日付情報を前記ユーザ識別情報に対応付けてユーザ表示履歴情報記憶手段へ記憶する表示履歴情報記憶手段を備え、
前記確認手段は、前記ユーザ表示履歴情報記憶手段が記憶している前記所定のユーザ識別情報の前記日付情報が、確認を行う時点の日付と同日でない場合に、前記分類情報が前記所定の条件に該当するか否かを確認することを特徴とする請求項１または２に記載のサーバ装置。
【請求項４】
前記表示履歴情報記憶手段は、前記確認手段によって前記所定の条件に該当すると確認されたときに、前記ユーザ購入履歴情報記憶手段から前記ユーザが過去に購入した前記商品の購入個数を検出し、前記ユーザ識別情報に対応付けて前記ユーザ表示履歴情報記憶手段へ記憶し、
前記確認手段は、前記ユーザ表示履歴情報記憶手段が記憶している前記所定のユーザ識別情報の前記購入個数が、確認を行う時点の前記ユーザ購入履歴情報記憶手段が記憶している前記購入個数と異なる場合に、前記分類情報が前記所定の条件に該当するか否かを確認することを特徴とする請求項１乃至３のいずれか１つに記載のサーバ装置。
【請求項５】
前記表示履歴情報記憶手段は、前記確認手段によって前記所定の条件に該当すると確認されたときに、前記ユーザ購入履歴情報記憶手段から前記ユーザが過去に購入した前記商品の購入個数を検出し、前記ユーザ識別情報と前記所定の条件に該当したことに対応付けて前記ユーザ表示履歴情報記憶手段へ記憶し、
前記確認手段は、前記ユーザ表示履歴情報記憶手段が記憶している前記所定のユーザ識別情報の前記購入個数が、確認を行う時点での前記ユーザ購入履歴情報記憶手段が記憶している前記購入個数と異なる値になっている場合に、どの前記所定の条件に該当した時に記憶されたかを検出し、検出された前記所定の条件に該当するか否かを確認することを特徴とする請求項１乃至４のいずれか１つに記載のサーバ装置。
【請求項６】
前記分類情報は前記音楽素材の関係者識別情報であり、
前記所定の条件は、前記ユーザ購入履歴情報記憶手段が記憶している前記関係者識別情報のうち予め設定されている関係者識別情報が所定の数以上であることを特徴とする請求項１乃至５のいずれか１つに記載のサーバ装置。
【請求項７】
前記分類情報は前記音楽素材の音楽ジャンル識別情報であり、
前記所定の条件は、前記ユーザ購入履歴情報記憶手段が記憶している前記音楽ジャンル識別情報のうち予め設定されている音楽ジャンル識別情報が所定の数以上であることを特徴とする請求項１乃至６のいずれか１つに記載のサーバ装置。
【請求項８】
所定の条件に該当する際に送信する広告情報を記憶する広告情報記憶手段と、携帯情報端末のユーザに付与されたユーザ識別情報に対応させて、当該ユーザが購入した商品の分類情報を記憶するユーザ購入履歴情報記憶手段と、を備え、前記携帯情報端末に対して広告情報を送信するサーバ装置の広告情報表示方法であって、
前記ユーザ購入履歴情報記憶手段から所定のユーザ識別情報に対応する前記分類情報を読み出し、当該分類情報が所定の条件に該当するか否かを確認する過程と、
前記分類情報が前記所定の条件に該当すると確認した場合に、前記広告情報記憶手段から前記所定の条件に該当する際に送信する前記広告情報を読み出す過程と、
前記読み出した広告情報を前記所定のユーザ識別情報に対応する前記ユーザの前記携帯情報端末に対して送信する過程と、
からなることを特徴とする広告情報表示方法。
【請求項９】
所定の条件に該当する際に送信する広告情報を記憶する広告情報記憶手段と、携帯情報端末のユーザに付与されたユーザ識別情報に対応させて、当該ユーザが購入した商品の分類情報を記憶するユーザ購入履歴情報記憶手段と、を備え、前記携帯情報端末に対して広告情報を送信するサーバ装置のコンピュータを、
前記ユーザ購入履歴情報記憶手段から所定のユーザ識別情報に対応する前記分類情報を読み出し、当該分類情報が所定の条件に該当するか否かを確認する確認手段、
前記分類情報が前記所定の条件に該当すると確認した場合に、前記広告情報記憶手段から前記所定の条件に該当する際に送信する前記広告情報を読み出す読出手段、
前記読み出した広告情報を前記所定のユーザ識別情報に対応する前記ユーザの前記携帯情報端末に対して送信する送信手段、
として機能させることを特徴とするコンピュータプログラム。
【発明の詳細な説明】
【技術分野】
【０００１】
本発明は、主に商品を販売する際に商品に関連する広告を携帯情報端末に表示するサーバ装置及び広告情報表示方法並びにコンピュータプログラムに関する。
【背景技術】
【０００２】
従来、サーバ装置のウェブページに広告情報を付加しておき、当該ウェブページに接続してきた端末装置のユーザに広告情報を提供する手段や、サーバ装置から端末装置に対して広告情報を配信して、端末装置のユーザに広告情報を提供するということは広く行われている（例えば、特許文献１参照）。
【特許文献１】特開２００２−２６９４５４号公報
【発明の開示】
【発明が解決しようとする課題】
【０００３】
しかしながら、従来では、個々のユーザの趣向等を判断して広告を提供するということは行われておらず、広告情報の提供者及び広告情報を受信するユーザの両者にとって効果のある広告情報が配信されていないという問題があった。
【０００４】
本発明は、上記問題を解決すべくなされたもので、その目的は、携帯情報端末を利用して広告を参照するユーザの趣向にあった広告情報を表示することができるサーバ装置を提供することにある。
【課題を解決するための手段】
【０００５】
本発明の一実施形態は、ユーザの携帯情報端末に対して広告情報を送信するサーバ装置において、所定の条件に該当する際に送信する広告情報を記憶する広告情報記憶手段と、前記ユーザに付与されたユーザ識別情報に対応させて、当該ユーザが購入した商品の分類情報を記憶するユーザ購入履歴情報記憶手段と、前記ユーザ購入履歴情報記憶手段から所定のユーザ識別情報に対応する前記分類情報を読み出し、当該分類情報が所定の条件に該当するか否かを確認する確認手段と、前記確認手段によって該当すると確認された場合に、前記広告情報記憶手段から前記所定の条件に該当する際に送信する前記広告情報を読み出す読出手段と、前記読み出した広告情報を前記所定のユーザ識別情報に対応する前記ユーザの前記携帯情報端末に対して送信する送信手段と、を備えたことを特徴とするサーバ装置である。
【０００６】
上記の発明の一実施形態において、前記確認手段は、前記所定のユーザ識別情報に対応する前記ユーザに既に前記広告情報を送信しているか否かを確認し、送信している場合には前記広告情報を送信せず、送信していない場合は前記所定の条件に該当するか否かを確認することを特徴としてもよい。
【０００７】
上記の発明の一実施形態において、前記確認手段によって前記所定の条件に該当すると確認された時の日付情報を前記ユーザ識別情報に対応付けてユーザ表示履歴情報記憶手段へ記憶する表示履歴情報記憶手段を備え、前記確認手段は、前記ユーザ表示履歴情報記憶手段が記憶している前記所定のユーザ識別情報の前記日付情報が、確認を行う時点の日付と同日でない場合に、前記分類情報が前記所定の条件に該当するか否かを確認することを特徴としてもよい。
【０００８】
上記の発明の一実施形態において、前記表示履歴情報記憶手段は、前記確認手段によって前記所定の条件に該当すると確認されたときに、前記ユーザ購入履歴情報記憶手段から前記ユーザが過去に購入した前記商品の購入個数を検出し、前記ユーザ識別情報に対応付けて前記ユーザ表示履歴情報記憶手段へ記憶し、前記確認手段は、前記ユーザ表示履歴情報記憶手段が記憶している前記所定のユーザ識別情報の前記購入個数が、確認を行う時点の前記ユーザ購入履歴情報記憶手段が記憶している前記購入個数と異なる場合に、前記分類情報が前記所定の条件に該当するか否かを確認することを特徴としてもよい。
【０００９】
上記の発明の一実施形態において、前記表示履歴情報記憶手段は、前記確認手段によって前記所定の条件に該当すると確認されたときに、前記ユーザ購入履歴情報記憶手段から前記ユーザが過去に購入した前記商品の購入個数を検出し、前記ユーザ識別情報と前記所定の条件に該当したことに対応付けて前記ユーザ表示履歴情報記憶手段へ記憶し、前記確認手段は、前記ユーザ表示履歴情報記憶手段が記憶している前記所定のユーザ識別情報の前記購入個数が、確認を行う時点での前記ユーザ購入履歴情報記憶手段が記憶している前記購入個数と異なる値になっている場合に、どの前記所定の条件に該当した時に記憶されたかを検出し、検出された前記所定の条件に該当するか否かを確認することを特徴としてもよい。
【００１０】
上記の発明の一実施形態において、前記分類情報は前記音楽素材の関係者識別情報であり、前記所定の条件は、前記ユーザ購入履歴情報記憶手段が記憶している前記関係者識別情報のうち予め設定されている関係者識別情報が所定の数以上であることを特徴としてもよい。
【００１１】
上記の発明の一実施形態において、前記分類情報は前記音楽素材の音楽ジャンル識別情報であり、前記所定の条件は、前記ユーザ購入履歴情報記憶手段が記憶している前記音楽ジャンル識別情報のうち予め設定されている音楽ジャンル識別情報が所定の数以上であることを特徴としてもよい。
【００１２】
本発明の一実施形態は、所定の条件に該当する際に送信する広告情報を記憶する広告情報記憶手段と、携帯情報端末のユーザに付与されたユーザ識別情報に対応させて、当該ユーザが購入した商品の分類情報を記憶するユーザ購入履歴情報記憶手段と、を備え、前記携帯情報端末に対して広告情報を送信するサーバ装置の広告情報表示方法であって、前記ユーザ購入履歴情報記憶手段から所定のユーザ識別情報に対応する前記分類情報を読み出し、当該分類情報が所定の条件に該当するか否かを確認する過程と、前記分類情報が前記所定の条件に該当すると確認した場合に、前記広告情報記憶手段から前記所定の条件に該当する際に送信する前記広告情報を読み出す過程と、前記読み出した広告情報を前記所定のユーザ識別情報に対応する前記ユーザの前記携帯情報端末に対して送信する過程と、からなることを特徴とする広告情報表示方法である。
【００１３】
本発明の一実施形態は、所定の条件に該当する際に送信する広告情報を記憶する広告情報記憶手段と、携帯情報端末のユーザに付与されたユーザ識別情報に対応させて、当該ユーザが購入した商品の分類情報を記憶するユーザ購入履歴情報記憶手段と、を備え、前記携帯情報端末に対して広告情報を送信するサーバ装置のコンピュータを、前記ユーザ購入履歴情報記憶手段から所定のユーザ識別情報に対応する前記分類情報を読み出し、当該分類情報が所定の条件に該当するか否かを確認する確認手段、前記分類情報が前記所定の条件に該当すると確認した場合に、前記広告情報記憶手段から前記所定の条件に該当する際に送信する前記広告情報を読み出す読出手段、前記読み出した広告情報を前記所定のユーザ識別情報に対応する前記ユーザの前記携帯情報端末に対して送信する送信手段、として機能させることを特徴とするコンピュータプログラムである。
【発明の効果】
【００１４】
この発明によれば、携帯情報端末を利用して広告を参照するユーザの趣向にあった広告情報を表示することができる効果がある。
【発明を実施するための最良の形態】
【００１５】
以下、本発明の一実施形態によるサーバ装置を図面を参照して説明する。
図１は、本実施形態によるサーバ装置と当該サーバ装置に接続する携帯情報端末を含んだ接続構成を示す概略ブロック図である。
本実施形態では、商品として携帯情報端末１０で利用する着信メロディデータを想定しており、以下の説明では着信メロディデータを商品の具体例として記載する。
携帯情報端末１０（１０ａ及び１０ｂ）は、例えば携帯電話端末であり、移動体通信事業者の基地局３１と移動体通信網３０を介してインターネット等のネットワーク４０に接続する。
サーバ装置２０は、ネットワーク４０を介して携帯情報端末１０から商品である着信メロディデータの購入要求を受信して購入処理を行い、また、着信メロディに関連する広告情報を携帯情報端末１０に提供する。サーバ装置２０において、送受信部２１は、ネットワーク４０と接続しユーザの携帯情報端末１０との間でデータの送受信を行う。制御部２２は、商品の購入処理及び広告情報の送信処理等の制御を行う。商品情報データベース２３は、予めサーバ装置２０の運営者が設定する着信メロディデータ及び関連する情報を記憶する。ユーザ購入履歴情報データベース２４は、ユーザが着信メロディデータを購入した際に、サーバ装置２０の制御部２２によってユーザの商品購入情報等が書き込まれる。広告情報データベース２５は、サーバ装置２０の運営者が予め設定する広告情報を記憶する。ユーザ表示履歴情報データベース２６は、ユーザの携帯情報端末１０に広告情報を表示した際に、サーバ装置２０の制御部２２によって表示を行った日付等の情報が書き込まれる。
【００１６】
図２は、上記した商品情報データベース２３のデータ構造を示した図である。同図におけるデータは、サーバ装置２０の運営者が予め設定するデータである。
同図において、素材ＩＤには、着信メロディデータを識別するため着信メロディデータごとに一意に付与された識別番号を設定する。アーティストＩＤには、着信メロディデータの楽曲のアーティストごとに一意に付与された識別番号を設定する。ジャンルＩＤには、着信メロディデータの楽曲が属するジャンルであり、例えば、ポップスやクラッシック等の楽曲のジャンルごとに一意に付与された識別番号を設定する。素材データには、携帯情報端末１０にダウンロードして利用するための着信メロディデータを設定する。商品情報データベース２３には、この他に図示していないが、楽曲のタイトルやアーティスト名の情報等、サーバ装置２０が携帯情報端末１０から検索要求を受信して検索できるような情報もあわせて設定されている。
【００１７】
図３は、上記したユーザ購入履歴情報データベース２４のデータ構造を示した図である。同図におけるデータは、ユーザが携帯情報端末１０を利用してサーバ装置２０から着信メロディデータを購入した際にサーバ装置２０の制御部２２が登録するデータである。
同図において、端末ＩＤには、ユーザの携帯情報端末１０に予め付与されている携帯情報端末１０を一意に特定できる識別番号、例えば電話番号もしくは移動体通信事業者が携帯情報端末１０ごとに一意に付与する識別番号等を登録する。ユーザＩＤには、携帯情報端末１０のユーザがサーバ装置２０を利用して商品を購入する時にサーバ装置２０が付与したユーザを一意に特定できる識別番号を登録する。
ＳＬＯＴ、素材ＩＤ、アーティストＩＤ、ジャンルＩＤは１つの商品を購入するごとに登録される１組のデータであり、商品の購入の際にサーバ装置２０の制御部２２が商品情報データベース２３から該当する商品の各情報を読み出して登録する。ＳＬＯＴは当該データの組み合わせが有効であるか否かを示す情報であり、ＳＬＯＴに示す番号が１の場合には、当該ＳＬＯＴにデータが登録されていることを示し、０の場合には登録されていないことを示す。
素材ＩＤ、アーティストＩＤ、ジャンルＩＤには、ユーザが商品を購入した際に、商品情報データベース２３から購入した商品に該当するそれぞれのＩＤを制御部２２が読み出して登録する。同図に示す例を１つ取り上げて説明すると端末ＩＤがＴ０００１でユーザＩＤがＵ０００１のユーザは、素材ＩＤが０００１の着信メロディデータを過去に購入したことを示している。また、端末ＩＤがＴ０００２でユーザＩＤがＵ０００２のユーザは、素材ＩＤが０００２の着信メロディデータと素材ＩＤが０００３の着信メロディデータを過去に購入したことを示している。
【００１８】
図４は、上記した広告情報データベース２５のデータ構成を示した図である。同図におけるデータは、サーバ装置２０の運営者が予め設定するデータである。
同図において、広告識別情報は、広告を識別する情報である。広告情報データには、携帯情報端末１０に対して表示するための広告情報のデータが設定されている。本実施の形態では、第１広告情報は、特定のアーティストについて興味があるユーザに対して配信するための広告情報であり、例えば、そのアーティストに関する新曲発売等の広告情報である。また、第２広告情報は、特定の音楽ジャンルについて興味があるユーザに対して配信するための、広告情報であり、例えば、クラッシックに興味があるユーザに対して配信するための、クラッシックのコンサート情報である。
【００１９】
図５は、上記したユーザ表示履歴情報データベース２６のデータ構造を示した図である。同図におけるデータは、ユーザの携帯情報端末１０に広告情報を表示した際に、サーバ装置２０の制御部２２が登録するデータである。
同図において、ユーザＩＤには、上記したサーバ装置２０が携帯情報端末１０のユーザごとに一意に付与したＩＤを登録する。前回表示日は、サーバ装置２０が携帯情報端末１０に対して前回広告情報を表示した際の日付情報を登録する。第１広告表示時情報には、サーバ装置２０があるユーザの携帯情報端末１０に対して第１広告情報を表示した際に、上記したユーザ購入履歴情報データベース２４から検出される当該ユーザが購入した商品の総数を登録し、第２広告表示時情報には、同様に第２広告情報を表示した際の購入済みの商品の総数を登録する。
【００２０】
図６は、サーバ装置２０において、上述した各データベースが記憶している情報に基づいて広告情報の表示を行うか否かを判定する広告表示判定の処理を示したフローチャートである。
サーバ装置２０の制御部２２が広告表示を行うか否かの処理を開始する最初の契機としては、例えば、携帯情報端末１０から商品の購入要求を受信した時や、過去に購入した商品情報を参照する参照要求を受信した時がある。このとき、購入画面や購入履歴の画面を送信する前に広告情報をユーザに提供する。
同図では、最初の契機となる要求を携帯情報端末１０から受信した後の処理を示している。最初に、サーバ装置２０の制御部２２が、携帯情報端末１０から受信した要求信号に示されているユーザＩＤに基づいてユーザ表示履歴情報データベース２６から前回表示日情報を読み出す（ステップＳ１）。制御部２２は、当該処理を行う当日が起算日を超えているか否かを判定する。ここで起算日とは、例えば、月の第１日目のように、月ごとのサービスの開始が行われる日である。前回表示日から当該処理を行う当日までに起算日をまたがっている場合には、起算日を超えていると判断し、購入個数に前回から変更があるか否かに関わらず広告表示を行うため、ステップＳ６へ進む。起算日を超えていない場合には、次の処理に進む（ステップＳ２）。制御部２２は、その時点での日付情報をサーバ装置２０に内蔵されている時計回路の日付情報から取得して、前回表示日と比較し、同日であれば、既に表示を行ったと判断して判定処理を終了する。これによって同日に広告を表示しない制御が可能となる（ステップＳ３）。同日でない場合には、次にユーザ購入履歴情報データベース２４から当該ユーザＩＤが過去に購入した購入個数の総数を検出する（ステップＳ４）。次に、ユーザ表示履歴情報データベース２６から、第１広告表示時情報に記憶されている前回第１広告表示を行った際の購入個数を読み出し、当該購入個数とユーザ購入履歴情報データベース２４から検出した購入個数を比較し、購入個数に変更があるか否かを確認する（ステップＳ５）。購入個数に変更がある場合、または、ステップＳ２において、前回表示日が起算日を超えている場合には、ユーザ購入履歴情報データベース２４から特定のアーティストの商品を３以上購入しているか否かの判定を行う（ステップＳ６）。３以上購入している場合には、ユーザ表示履歴情報データベース２６の前回表示日をステップＳ３において取得した当日の日付情報に更新し（ステップＳ７）、第１広告表示時情報をその時点の購入個数の総数に更新する（ステップＳ８）。そして、第１広告情報を広告情報データベース２５から読み出し（ステップＳ９）、広告ページを作成して（ステップＳ１５）、携帯情報端末１０に広告ページの情報を送信する（ステップＳ１６）。
【００２１】
一方、ステップＳ５において、前回第１広告表示を行ったときから購入個数に変更がない場合及びステップＳ６において特定のアーティストの商品が３以上購入されていない場合には、第２広告情報の表示判定処理に進む。最初に、前回第２広告表示を行った時の購入個数をユーザ表示履歴情報データベース２６から読み出し、読み出した購入個数と、ユーザ購入履歴情報データベース２４から検出した購入個数と比較し、購入個数に変更があるか否かを確認する。変更がない場合には広告を表示せずに処理を終了し、変更がある場合には次の処理に進む（ステップＳ１０）。購入個数に変更がある場合には、特定のジャンルの商品が３以上購入しているか否かを確認する。３以上でない場合には処理を広告を表示せずに処理を終了し、３以上の場合には次の処理に進む（ステップＳ１１）。特定のジャンルの商品を３以上購入している場合には、ユーザ表示履歴情報データベース２６の前回表示日を現在の日付に更新し（ステップＳ１２）、第２広告表示時情報をその時点の購入個数の総数に更新する（ステップＳ１３）。そして、第２広告情報を広告情報データベース２５から読み出し（ステップＳ１４）、広告ページを作成して（ステップＳ１５）、携帯情報端末１０に広告ページの情報を送信する（ステップＳ１６）。
【００２２】
上記した例では、ステップＳ６において特定のアーティストの商品の購入個数を判定して条件を満たした場合には、第１広告情報を表示し、また、ステップＳ１１においても同様に、特定のジャンルの商品の購入個数を判定して条件を満たした場合には第２広告情報を表示する。なお、広告を表示するための所定の条件を満たした際に、より柔軟に広告情報を表示できるようにする場合には、広告情報データベースにおいて、各広告情報に対して、表示対象とするユーザの購入履歴の条件としてのアーティストＩＤ、ジャンルＩＤを対応付けて記憶しておくようにしておき、各条件を満たした際に、ユーザの購入履歴に基づいて表示させる広告情報を選択するようにしてもよい。
また、上記の例では、過去に購入した特定のアーティストや特定の音楽ジャンルの商品の個数が３以上の場合に広告を表示する判定を行っているが、この値は例えば、１でも、２以上の任意の値でもよく、広告情報を提供する者の考えに従って個別に変更できるようにしてもよい。また、商品の購入時に上記の広告表示判定の処理を行う場合には、商品の購入個数は確実に１以上増加するため、購入個数に変更があるか否かを判定する処理を省略することが可能である。
上述した処理によって、サーバ装置２０は同日に広告を２度配信するということを防止することができ、ユーザは携帯情報端末１０において不必要な広告を参照する必要がなくなる。また、上記処理によって、特定のアーティストについて興味があるユーザに対してや、特定の音楽ジャンルに興味のあるユーザに対して、適切な広告を配信することができる。また、過去に購入した商品の購入個数によって広告を提供するユーザを選別することが可能となる。それによって、広告を配信する側は、効果の高いユーザを選別して広告を提供することができ、また、広告を受信する側も自らの趣向にあった広告を受信することが可能となる。
【００２３】
つまり、上述した処理において、ステップＳ２において起算日を超えているか否かを判断する処理や、ステップＳ３において当日に表示したか否かを判断する処理や、ステップＳ５及びステップＳ１０において購入個数に変更があるか否かを判断する処理は、処理の対象となっているユーザに既に広告情報を送信しているか否かを確認する処理である。この処理によって、同じ内容の広告情報が何度もユーザに提供することを防ぐことができ、何度も表示することによってユーザが煩わしさを感じ広告を読まなくなるといった事態の発生を防ぐことが可能となる。
【００２４】
次に、図７から図１０を参照して、ユーザが携帯情報端末１０を介して商品を購入する際にサーバ装置２０が広告表示を行う一連の処理について説明する。
最初に、携帯情報端末１０のユーザは、購入したい着信メロディの曲を検索するため楽曲のキーワードを入力し、その入力を受けて携帯情報端末１０がサーバ装置２０にキーワードを含んだ曲検索要求を送信する（ステップＳａ１）。サーバ装置２０は、受信したキーワードに基づいて検索処理を行い（ステップＳａ２）一覧情報を結果として送信する（ステップＳａ３）。ユーザは携帯情報端末１０で受信した一覧情報の中から所望する曲を指定し、携帯情報端末１０が曲を指定した購入要求を送信する（ステップＳａ４）。サーバ装置２０は、購入画面のウェブページの情報を携帯情報端末１０に送信する。この時、携帯情報端末１０は、図８に示す画面を表示する（ステップＳａ５）。画面上で「いいえ」が選択されると処理は終了し（ステップＳａ７）、「はい」を選択すると次の処理へ進む（ステップＳａ６）。「はい」が選択されると、携帯情報端末１０は、サーバ装置２０に購入指示を送信する（ステップＳａ８）。サーバ装置２０は、当該商品の購入情報をユーザ購入履歴情報データベース２４へ追加する（ステップＳａ９）。次に、サーバ装置２０は、図６で説明した広告表示判定の処理を行い、広告を表示するか否かを決定する（ステップＳａ１０）。広告を表示しないと判定した場合には、購入用ダウンロードページの作成の処理に進む。広告を表示すると判断した場合には、広告情報を含むウェブページを作成し（ステップＳａ１１）。広告ウェブページの情報を携帯情報端末１０に送信する。この時、広告ウェブページの情報を受信したユーザの携帯情報端末は図９に示す画面を表示する（ステップＳａ１２）。画面上で、ユーザによって「次へ」のリンクが選択された時、携帯情報端末１０はサーバ装置に「次へ」の指示を含んだ信号を送信する（ステップＳａ１３）。次に、サーバ装置２０は、着メロデータをダウンロードするための購入処理用のダウンロードページの作成を行い（ステップＳａ１４）。当該段ロード用ウェブページの情報を携帯情報端末１０に送信する。ダウンロード用ウェブページの情報を受信した携帯情報端末１０は図１０に示す画面を表示する（ステップＳａ１５）。画面上で、ユーザによって「いいえ」が選択された場合には処理を終了し（ステップＳａ１７）、「はい」が選択された場合には、次の処理へ進む（ステップＳａ１６）。「はい」が選択されると携帯情報端末１０はダウンロード要求をサーバ装置２０に送信し（ステップＳａ１８）、着信メロディデータのダウンロードを開始する（ステップＳａ１９）。
以上の処理によって、広告を配信する側は、商品の購入にあわせて効果の高いユーザを選別して広告を配信することができ、また、広告を受信する側も購入時に自らの趣向にあった広告を受信することが可能となる。
上記実施の形態においては、商品として着信メロディを例にしていたが、本発明はこれに限られず、例えば、待ち受け画像データや、ゲームデータ等の他の取引可能な対象であってもよい。
また、上記実施の形態においては、音楽素材である着信メロディデータの関係者として着信メロディの楽曲のアーティストを対応付けて説明したが、関係者としては、例えば、歌手、作曲家、作詞家等を対応付けるようにしてもよい。またさらに、上記した待ち受け画像データが商品である場合には、関係者として当該画像データに写っている人物や、画像を撮影した写真家等を対応付けるようにしてもよい。
【００２５】
上述のサーバ装置は内部に、コンピュータシステムを有している。そして、上述した広告を表示する広告判定処理等の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００２６】
【図１】本実施形態によるサーバ装置と当該サーバ装置に接続する携帯情報端末を含んだ接続構成を示したブロック図である。
【図２】同実施形態における商品情報データベースのデータ構造を示した図である。
【図３】同実施形態におけるユーザ購入履歴情報データベースのデータ構造を示した図である。
【図４】同実施形態における広告情報データベースのデータ構造を示した図である。
【図５】同実施形態におけるユーザ表示履歴情報データベースのデータ構造を示した図である。
【図６】同実施形態における広告表示判定の処理を示したフローチャートである。
【図７】同実施形態における携帯情報端末から商品を購入する際にサーバ装置行う広告表示処理のシーケンス図である。
【図８】同実施形態における広告表示処理時に携帯情報端末が表示する画面を示した図（その１）である。
【図９】同実施形態における広告表示処理時に携帯情報端末が表示する画面を示した図（その２）である。
【図１０】同実施形態における広告表示処理時に携帯情報端末が表示する画面を示した図（その３）である。
【符号の説明】
【００２７】
１０  携帯情報端末
２０  サーバ装置
２３  商品情報データベース
２４  ユーザ購入履歴情報データベース
２５  広告情報データベース
【図１】
2006004395.tif 000003
【図２】
2006004395.tif 000004
【図３】
2006004395.tif 000005
【図４】
2006004395.tif 000006
【図５】
2006004395.tif 000007
【図６】
2006004395.tif 000008
【図７】
2006004395.tif 000009
【図８】
2006004395.tif 000010
【図９】
2006004395.tif 000011
【図１０】
2006004395.tif 000012
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
ユーザの携帯情報端末から送信されるアクセス要求に応じて前記携帯情報端末に広告情報を送信するサーバ装置であって、
広告情報を一意に識別可能な広告識別情報と前記広告情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記受信手段が受信した前記ユーザ識別情報に対応する情報を前記ユーザ購入履歴情報記憶手段から参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
を備えたことを特徴とするサーバ装置。
【請求項２】
ユーザの携帯情報端末から送信されるアクセス要求に応じて前記携帯情報端末に広告情報を送信するサーバ装置であって、
広告情報を一意に識別可能な広告識別情報と前記広告情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報と当該広告情報を表示した日を示す表示日情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に対応する表示日情報を前記ユーザ履歴記憶手段から読み出し、読み出した表示日情報と当日の日付を示す日付情報とを比較する日付比較手段と、
前記日付比較手段の比較結果が一致しない場合に、前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記受信手段が受信した前記ユーザ識別情報に対応する情報を前記ユーザ購入履歴情報記憶手段から参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
を備えたことを特徴とするサーバ装置。
【請求項３】
ユーザの携帯情報端末から送信される商品の購入要求に応じて前記携帯情報端末に広告情報を送信するサーバ装置であって、
広告情報を一意に識別可能な広告識別情報と前記広告情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記ユーザ購入履歴情報記憶手段から前記受信手段が受信した前記ユーザ識別情報に対応する情報を参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
前記広告情報送信手段によって広告情報を送信する場合に、前記ユーザ購入履歴情報記憶手段から前記ユーザが過去に購入していた前記商品の購入個数を検出し、該検出した個数を前記広告情報送信手段によって送信された前記広告情報の広告識別情報と前記ユーザ識別情報とに対応付けて前記ユーザ表示履歴情報記憶手段へ記録するユーザ表示履歴情報記録手段と、
を備えたことを特徴とするサーバ装置。
【請求項４】
ユーザの携帯情報端末から送信される商品の購入要求に応じて前記携帯情報端末に広告情報を送信するサーバ装置であって、
広告情報を一意に識別可能な広告識別情報と前記広告情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報と当該広告情報を表示した日を示す表示日情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に対応する表示日情報を前記ユーザ履歴記憶手段から読み出し、読み出した表示日情報と当日の日付を示す日付情報とを比較する日付比較手段と、
前記日付比較手段の比較結果が一致しない場合に、前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記ユーザ購入履歴情報記憶手段から前記受信手段が受信した前記ユーザ識別情報に対応する情報を参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
前記広告情報送信手段によって広告情報を送信する場合に、前記ユーザ購入履歴情報記憶手段から前記ユーザが過去に購入していた前記商品の購入個数を検出し、該検出した個数を前記広告情報送信手段によって送信された前記広告情報の広告識別情報と前記ユーザ識別情報とに対応付けて前記ユーザ表示履歴情報記憶手段へ記録するとともに、前記日付情報を前記広告情報送信手段によって送信された前記広告情報の広告識別情報と前記ユーザ識別情報とに対応付けて前記ユーザ表示履歴情報記憶手段へ記録するユーザ表示履歴情報記録手段と、
を備えたことを特徴とするサーバ装置。
【請求項５】
前記受信手段が前記携帯情報端末から前記ユーザ識別情報と購入する商品の情報とを含む商品購入の情報を受信して、前記購入要求に含まれる商品の情報に基づいて前記ユーザ購入履歴情報記憶手段を更新する更新手段
を備えたことを特徴とする請求項１から４のうちいずれかに記載のサーバ装置。
【請求項６】
前記分類情報は、前記音楽素材の関係者識別情報であることを特徴とする請求項１から５のうちいずれかに記載のサーバ装置。
【請求項７】
前記分類情報は、前記音楽素材の音楽ジャンル識別情報であることを特徴とする請求項１から６のうちいずれかに記載のサーバ装置。
【請求項８】
広告情報を一意に識別可能な広告識別情報と前記広告情報とを対応付けて記憶する広告情報記憶手段と、ユーザが購入した商品の情報と前記商品ごとの分類情報とを、前記ユーザを一意に識別可能なユーザ識別情報に対応付けて記憶するユーザ購入履歴情報記憶手段と、前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段とを備え、ユーザの携帯情報端末から送信されるアクセス要求に応じて前記携帯情報端末に広告情報を送信するサーバ装置の広告情報表示方法であって、
前記携帯情報端末から送信されるアクセス要求に含まれるユーザ識別情報を受信する過程と、
前記受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出過程と、
前記ユーザ表示履歴記憶手段に記憶された履歴情報のうち、前記受信したユーザ識別情報に対応する広告識別情報の商品の購入個数を読み出す過程と、
前記読み出しの対象となった履歴情報に含まれる広告識別情報に対応する商品の購入個数と前記第１の検出過程によって検出された商品の購入個数とを比較し、比較結果において商品の購入個数が異なる該履歴情報に含まれる広告識別情報を検出する第２の検出過程と、
前記受信した前記ユーザ識別情報に対応する情報を前記ユーザ購入履歴情報記憶手段から参照し、前記第２の検出過程によって検出した広告識別情報の分類情報に対応する商品の購入個数を検出する第３の検出過程と、
前記第３の検出過程によって検出された商品の購入個数が所定の数以上であるか否かを判定する判定過程と、
前記判定過程の判定結果に基づき、前記購入個数が所定の数以上である場合に、前記第２の検出過程によって検出した広告識別情報に対応する広告情報を前記広告情報記憶手段から読み出して前記携帯情報端末に送信する広告情報送信過程と、
からなることを特徴とする広告表示方法。
【請求項９】
広告情報を一意に識別可能な広告識別情報と前記広告情報とを対応付けて記憶する広告情報記憶手段と、ユーザが購入した商品の情報と前記商品ごとの分類情報とを、前記ユーザを一意に識別可能なユーザ識別情報に対応付けて記憶するユーザ購入履歴情報記憶手段と、前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段とを備え、ユーザの携帯情報端末から送信されるアクセス要求に応じて前記携帯情報端末に広告情報を送信するサーバ装置のコンピュータを、
前記携帯情報端末から送信されるアクセス要求に含まれるユーザ識別情報を受信する過程、
前記受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段、
前記ユーザ表示履歴記憶手段に記憶された履歴情報のうち、前記受信したユーザ識別情報に対応する広告識別情報の商品の購入個数を読み出す手段、
前記読み出しの対象となった履歴情報に含まれる広告識別情報に対応する商品の購入個数と前記第１の検出過程によって検出された商品の購入個数とを比較し、比較結果において商品の購入個数が異なる該履歴情報に含まれる広告識別情報を検出する第２の検出手段、
前記受信した前記ユーザ識別情報に対応する情報を前記ユーザ購入履歴情報記憶手段から参照し、前記第２の検出過程によって検出した広告識別情報の分類情報に対応する商品の購入個数を検出する第３の検出手段、
前記第３の検出過程によって検出された商品の購入個数が所定の数以上であるか否かを判定する判定手段、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段、
として機能させることを特徴とするコンピュータプログラム。
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
ユーザの携帯情報端末から送信されるアクセス要求に応じて前記携帯情報端末に広告情報を送信するサーバ装置であって、
広告情報を一意に識別可能な広告識別情報と前記広告情報と分類情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記受信手段が受信した前記ユーザ識別情報に対応する情報を前記ユーザ購入履歴情報記憶手段から参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
を備えたことを特徴とするサーバ装置。
【請求項２】
ユーザの携帯情報端末から送信されるアクセス要求に応じて前記携帯情報端末に広告情報を送信するサーバ装置であって、
広告情報を一意に識別可能な広告識別情報と前記広告情報と分類情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報と当該広告情報を表示した日を示す表示日情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に対応する表示日情報を前記ユーザ履歴記憶手段から読み出し、読み出した表示日情報と当日の日付を示す日付情報とを比較する日付比較手段と、
前記日付比較手段の比較結果が一致しない場合に、前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記受信手段が受信した前記ユーザ識別情報に対応する情報を前記ユーザ購入履歴情報記憶手段から参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
を備えたことを特徴とするサーバ装置。
【請求項３】
ユーザの携帯情報端末から送信される商品の購入要求に応じて前記携帯情報端末に広告情報を送信するサーバ装置であって、
広告情報を一意に識別可能な広告識別情報と前記広告情報と分類情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記受信手段が受信した前記ユーザ識別情報に対応する情報を前記ユーザ購入履歴情報記憶手段から参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
前記広告情報送信手段によって広告情報を送信する場合に、前記ユーザ購入履歴情報記憶手段から前記ユーザが過去に購入していた前記商品の購入個数を検出し、該検出した個数を前記広告情報送信手段によって送信された前記広告情報の広告識別情報と前記ユーザ識別情報とに対応付けて前記ユーザ表示履歴情報記憶手段へ記録するユーザ表示履歴情報記録手段と、
を備えたことを特徴とするサーバ装置。
【請求項４】
ユーザの携帯情報端末から送信される商品の購入要求に応じて前記携帯情報端末に広告情報を送信するサーバ装置であって、
広告情報を一意に識別可能な広告識別情報と前記広告情報と分類情報とを対応付けて記憶する広告情報記憶手段と、
前記ユーザが購入した商品の情報と前記商品ごとの分類情報とを、前記ユーザを一意に識別可能なユーザ識別情報に対応付けて記憶するユーザ購入履歴情報記憶手段と、
前記広告識別情報ごとに、該広告識別情報に対応する広告情報を表示した際に前記ユーザが過去に購入した前記商品の購入個数と前記ユーザ識別情報と当該広告情報を表示した日を示す表示日情報とを対応付けて履歴情報として記憶するユーザ表示履歴記憶手段と、
前記携帯情報端末から送信されるアクセス要求に含まれるユーザ識別情報を受信する受信手段と、
前記受信手段が受信したユーザ識別情報に対応する表示日情報を前記ユーザ履歴記憶手段から読み出し、読み出した表示日情報と当日の日付を示す日付情報とを比較する日付比較手段と、
前記日付比較手段の比較結果が一致しない場合に、前記受信手段が受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段と、
前記ユーザ表示履歴記憶手段に記憶された履歴情報のうち、前記受信手段が受信したユーザ識別情報に対応する広告識別情報の商品の購入個数を読み出す読み出し手段と、
前記読み出し手段によって読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段と、
前記受信手段が受信した前記ユーザ識別情報に対応する情報を前記ユーザ購入履歴情報記憶手段から参照し、前記第２の検出手段によって検出した広告識別情報の分類情報に対応する商品の購入個数を検出する第３の検出手段と、
前記第３の検出手段によって検出された商品の購入個数が所定の数以上であるか否かを判定する判定手段と、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段と、
前記広告情報送信手段によって広告情報を送信する場合に、前記ユーザ購入履歴情報記憶手段から前記ユーザが過去に購入していた前記商品の購入個数を検出し、該検出した個数を前記広告情報送信手段によって送信された前記広告情報の広告識別情報と前記ユーザ識別情報とに対応付けて前記ユーザ表示履歴情報記憶手段へ記録するとともに、前記日付情報を前記広告情報送信手段によって送信された前記広告情報の広告識別情報と前記ユーザ識別情報とに対応付けて前記ユーザ表示履歴情報記憶手段へ記録するユーザ表示履歴情報記録手段と、
を備えたことを特徴とするサーバ装置。
【請求項５】
前記受信手段が前記携帯情報端末から前記ユーザ識別情報と購入する商品の情報とを含む商品購入の情報を受信して、前記購入要求に含まれる商品の情報に基づいて前記ユーザ購入履歴情報記憶手段を更新する更新手段
を備えたことを特徴とする請求項１から４のうちいずれかに記載のサーバ装置。
【請求項６】
前記分類情報は、前記音楽素材の関係者識別情報であることを特徴とする請求項１から５のうちいずれかに記載のサーバ装置。
【請求項７】
前記分類情報は、前記音楽素材の音楽ジャンル識別情報であることを特徴とする請求項１から６のうちいずれかに記載のサーバ装置。
【請求項８】
広告情報を一意に識別可能な広告識別情報と前記広告情報と分類情報とを対応付けて記憶する広告情報記憶手段と、ユーザが購入した商品の情報と前記商品ごとの分類情報とを、前記ユーザを一意に識別可能なユーザ識別情報に対応付けて記憶するユーザ購入履歴情報記憶手段と、前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段とを備え、ユーザの携帯情報端末から送信されるアクセス要求に応じて前記携帯情報端末に広告情報を送信するサーバ装置の広告情報表示方法であって、
前記携帯情報端末から送信されるアクセス要求に含まれるユーザ識別情報を受信する過程と、
前記受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出過程と、
前記ユーザ表示履歴記憶手段に記憶された履歴情報のうち、前記受信したユーザ識別情報に対応する広告識別情報の商品の購入個数を読み出す過程と、
前記読み出しの対象となった履歴情報に含まれる広告識別情報に対応する商品の購入個数と前記第１の検出過程によって検出された商品の購入個数とを比較し、比較結果において商品の購入個数が異なる該履歴情報に含まれる広告識別情報を検出する第２の検出過程と、
前記受信した前記ユーザ識別情報に対応する情報を前記ユーザ購入履歴情報記憶手段から参照し、前記第２の検出過程によって検出した広告識別情報の分類情報に対応する商品の購入個数を検出する第３の検出過程と、
前記第３の検出過程によって検出された商品の購入個数が所定の数以上であるか否かを判定する判定過程と、
前記判定過程の判定結果に基づき、前記購入個数が所定の数以上である場合に、前記第２の検出過程によって検出した広告識別情報に対応する広告情報を前記広告情報記憶手段から読み出して前記携帯情報端末に送信する広告情報送信過程と、
からなることを特徴とする広告表示方法。
【請求項９】
広告情報を一意に識別可能な広告識別情報と前記広告情報と分類情報とを対応付けて記憶する広告情報記憶手段と、ユーザが購入した商品の情報と前記商品ごとの分類情報とを、前記ユーザを一意に識別可能なユーザ識別情報に対応付けて記憶するユーザ購入履歴情報記憶手段と、前記広告識別情報ごとに、該広告識別情報に対応する広告情報を表示した際に前記ユーザが過去に購入した前記商品の購入個数と前記ユーザ識別情報とを対応付けて履歴情報として記憶するユーザ表示履歴記憶手段とを備え、ユーザの携帯情報端末から送信されるアクセス要求に応じて前記携帯情報端末に広告情報を送信するサーバ装置のコンピュータを、
前記携帯情報端末から送信されるアクセス要求に含まれるユーザ識別情報を受信する受信手段、
前記受信したユーザ識別情報に基づいて、前記ユーザ購入履歴情報記憶手段から前記ユーザ識別情報に対応する商品の情報を読み出し、読み出した商品の情報に基づいて前記ユーザが過去に購入した当該商品の購入個数を検出する第１の検出手段、
前記ユーザ表示履歴記憶手段に記憶された履歴情報のうち、前記受信したユーザ識別情報に対応する広告識別情報の商品の購入個数を読み出す手段、
前記読み出しの対象となった履歴情報に含まれる広告識別情報に対応する商品の購入個数と前記第１の検出手段によって検出された商品の購入個数とを比較し、比較結果において商品の購入個数が異なる該履歴情報に含まれる広告識別情報を検出する第２の検出手段、
前記受信した前記ユーザ識別情報に対応する情報を前記ユーザ購入履歴情報記憶手段から参照し、前記第２の検出手段によって検出した広告識別情報の分類情報に対応する商品の購入個数を検出する第３の検出手段、
前記第３の検出手段によって検出された商品の購入個数が所定の数以上であるか否かを判定する判定手段、
前記判定手段の判定結果に基づき、前記購入個数が所定の数以上である場合に、前記第２の検出手段によって検出した広告識別情報に対応する広告情報を前記広告情報記憶手段から読み出して前記携帯情報端末に送信する広告情報送信手段、
として機能させることを特徴とするコンピュータプログラム。